(57)【特許請求の範囲】
【請求項１】
軟質マット（１）をリハビリ機器に設けられた被着板（２）に係止するマット係止部材（１０）を、軟質マット（１）に挿入される硬質の係止ピン（３）と、該係止ピン（３）に嵌合される軟質の係止釦（６）とで軟質マット（１）を挾持固定する構成とし、前記係止ピン（３）は、茎部（１３）の一端部に平頭部（４）が他端に鉤頭部（５）が形成され、前記係止釦（６）は、釦胴部（７）と、該釦胴部（７）の外周を凸状とした釦止部（８）とを有し、前記釦胴部（７）の内側には貫通芯穴（９）が開設され、係止ピン（３）の鉤頭部（５）を軟質マット（１）の取付孔（１２）に貫通し、軟質マット（１）の裏に臨んだ鉤頭部（５）を係止釦（６）の貫通芯穴（９）に挿入嵌合し、軟質マット（１）を係止ピン（３）と係止釦（６）で挾持固定した後、マット係止部材（１０）を係止固定した軟質マット（１）の係止釦（６）部を、被着板（２）の着脱穴（１１）に当てがい挿入又は離脱することにより、軟質マット（１）が被着板（２）に着脱される二重係止構造としたことを特徴とするマット係止部材。
【請求項２】
係止ピン（３）の鉤頭部（５）は係止釦（６）の貫通芯穴（９）へワンタッチのプッシュ操作で圧入でき、係止ピン（３）の平頭部（４）と係止釦（６）の釦台部（１４）との間に軟質マット（１）を圧縮して固定保持し、被着板（２）に釦止部（８）外径より小径の着脱穴（１１）を設け、該着脱穴（１１）に釦止部（８）を着脱可能に係合させて、被着板（２）に反復着脱可能に軟質マット（１）を保持することを特徴とする請求項１記載のマット係止部材。
【請求項３】
係止釦（６）は、係止ピン（３）より軟質で硬度をＪＩＳ−Ｋ−６３１０（Ａ）に示される２５度乃至８５度とし、軟質マット（１）を２０パーセント乃至８０パーセント圧縮して保持し、前記軟質マット（１）は、肉厚を４ミリ以上としその表面の硬度をＪＩＳ−Ｋ−６３１０（Ａ）に示される５度乃至５０度としたことを特徴とする請求項１又は２記載のマット係止部材。
【発明の詳細な説明】
【０００１】
【産業上の利用分野】
本発明は、患者を乗せる担架及び車椅子等身体を受けるリハビリ機器の、マットを止着するためのマット係止部材に関する。
【０００２】
【従来の技術】
従来の技術として実公平５−３２１１７号公報に、円筒と、ボルトと、ナットとでなるマット係止部材を使用して、マット係止部材を貫通孔に差し込み、マットを担架に取着することが示されている。
【０００３】
【発明が解決しようとする課題】
前記従来技術は、第１に、マット係止部材における円筒をボルトとナットで止めているので、ナットが緩み外れ、又、ボルトの頭部がマットから突出した状態を呈し、このボルトの上に居る患者が該ボルト頭部を擦ると怪我をするという不具合があった。
【０００４】
第２に、円筒をボルトとナットで止めるので、コスト高であるうえ、その螺着作業に多くの手数を要し製造能率を下げるという不具合があった。
【０００５】
本発明の目的は、上記欠点を解決したものであり、安全に使用でき、製造作業も簡単なマット係止部材を提供することにある。
【０００６】
【課題を解決するための手段】
即ち本発明は、軟質マット（１）をリハビリ機器に設けられた被着板（２）に係止するマット係止部材（１０）を、軟質マット（１）に挿入される硬質の係止ピン（３）と、該係止ピン（３）に嵌合される軟質の係止釦（６）とで軟質マット（１）を挾持固定する構成とし、前記係止ピン（３）は、茎部（１３）の一端部に平頭部（４）が他端に鉤頭部（５）が形成され、前記係止釦（６）は、釦胴部（７）と、該釦胴部（７）の外周を凸状とした釦止部（８）とを有し、前記釦胴部（７）の内側には貫通芯穴（９）が開設され、係止ピン（３）の鉤頭部（５）を軟質マット（１）の取付孔（１２）に貫通し、軟質マット（１）の裏に臨んだ鉤頭部（５）を係止釦（６）の貫通芯穴（９）に挿入嵌合し、軟質マット（１）を係止ピン（３）と係止釦（６）で挾持固定した後、マット係止部材（１０）を係止固定した軟質マット（１）の係止釦（６）部を、被着板（２）の着脱穴（１１）に当てがい挿入又は離脱することにより、軟質マット（１）が被着板（２）に着脱される二重係止構造としたことを特徴とするマット係止部材である。又、係止ピン（３）の鉤頭部（５）は係止釦（６）の貫通芯穴（９）へワンタッチのプッシュ操作で圧入でき、係止ピン（３）の平頭部（４）と係止釦（６）の釦台部（１４）との間に軟質マット（１）を圧縮して固定保持し、被着板（２）に釦止部（８）外径より小径の着脱穴（１１）を設け、該着脱穴（１１）に釦止部（８）を着脱可能に係合させて、被着板（２）に反復着脱可能に軟質マット（１）を保持する。更に、係止釦（６）は、係止ピン（３）より軟質で硬度をＪＩＳ−Ｋ−６３１０（Ａ）に示される２５度乃至８５度とし、軟質マット（１）を２０パーセント乃至８０パーセント圧縮して保持し、前記軟質マット（１）は、肉厚を４ミリ以上としその表面の硬度をＪＩＳ−Ｋ−６３１０（Ａ）に示される５度乃至５０度とする。
【０００７】
【作用】
マット係止部材１０における係止ピン３の鉤頭部５に、軟質な係止釦６の貫通芯穴９部分を押圧し外嵌・固定する。マット係止部材１０は、軟質マット１を被着板２に係止する。
【０００８】
マット係止部材１０を構成する硬質の係止ピン３の他端に形成した鉤頭部５を、軟質マット１に設けた取付穴１２を貫通して臨ませ、該鉤頭部５に、釦胴部７内側に貫通芯穴９を形成した軟質の係止釦６に外嵌することによって、マット係止部材１０は軟質マット１を圧縮して保持する。
【０００９】
マット係止部材１０における係止釦６を、釦止部６より僅かに小径に被着板２に開設した着脱穴１１に、着脱することによって、前記マット係止部材１０は軟質マット１を被着板２に係止又は離脱する。
【００１０】
マット係止部材１０の係止釦６は、係止ピン３より軟質でその硬度を日本工業規格による硬度表示（ＪＩＳ−Ｋ−６３１０（Ａ））で２５度乃至８５度として、係止ピン３を係止釦６へ圧入することを可能とする。
【００１１】
マット係止部材１０は、軟質マット１を２０パーセント乃至８０パーセント圧縮して保持し、又、マット係止部材１０は、軟質マット１に埋もれた形姿を呈して該軟質マット１を保持する。
一方、肉厚を４ミリ以上とし硬度を日本工業規格による硬度表示で５度乃至５０度とした軟質マット１は、マット係止部材１０の取り付け位置を窪み状になすと共に快適な緩衝機能を有する。
【００１２】
【実施例】
図１に示す本発明の実施例におけるマット係止部材１０は、軟質マット１を被着板２に係止するものであり、係止ピン３と係止釦６とを構成部材とし、係止ピン３の鉤頭部５を係止釦６の貫通芯穴９に、ワンタッチのプッシュ操作で簡易に圧入して構成される。
【００１３】
前記係止ピン３は、茎部１３の一方端に平頭部４を形成し他方端に鉤頭部５を形成した硬質のものである。係止ピン３は係止釦６より硬質であればよいが、通常、好ましくは、ショアー硬度（ＡＳＴＭ−Ｄ）３０度以上の硬質プラスチックが好適である。３０度未満では軟らかすぎて、係止ピン３の係止釦６へのワンタッチ挿入性が悪くなり、又、３０未満の軟質になると、強度が下がり平頭部４での軟質マット１の固定性も悪くなり、変形し易くなる。
【００１４】
茎部１３の径は、好ましくは２乃至８ミリであり、２ミリ未満では脆弱であり折れやすい。８ミリを超えると部材が大きくなり無駄であり、又、細かい構造部分に取付ける場合の軟質マット１の係止が困難である。
【００１５】
平頭部４の外径を大きくすることによりマット係止部材１０から軟質マット１が簡単に外れないようにする。
平頭部４の径は、軟質マット１の脱落や損傷を生じぬよう、又大き過ぎても無駄となるので、通常、茎部１３の径の２倍以上１０倍以下とし、より好ましくは３倍以上７倍以下である。２倍未満では軟質マット１の固定性が悪く外れ易い。１０倍を超えると大き過ぎて変形し易く壊れ易い。又、人体の接触感も悪い。
【００１６】
平頭部４は、鋲頭形状で肉厚１乃至５ミリが好適に用いられる。１ミリ未満では強度不足やエッジで怪我をする心配がある。５ミリを超えると無駄であり、軟質マット１から大きく膨れ出る突出形状を呈し、着用感も外観も悪い。
【００１７】
係止釦６は、釦胴部７と、該釦胴部７の外周に凸状とした釦止部８からなり、釦胴部７の内側に貫通芯穴９を開設した軟質のものである。
係止釦６の基部が釦胴部７であってその端面は、ドーナツ形平面の釦台部１４である。係止釦６の外周部は釦止部８であって傘状等に尖頭形をなした釦先部１６につながる。
係止ピン３が嵌入されこれを受ける貫通芯穴９の下方には、鉤頭部５を受ける鉤頭受部１５が形成される。
【００１８】
軟質マット１は大きな面積の平頭部４と釦台部１４の間に挾み込んで固定される。該釦台部１４は、鉤頭部５に比べ大きな径になっている。係止ピン３を軟質マット１の取付孔１２へ固定係止するに於いて、鉤頭部５は簡単に差し込まれ、大きな釦台部１４で挾まれ固定される。
【００１９】
係止釦６は、係止ピン３より軟質で、好ましくは、硬度を日本工業規格による硬度表示で２５度乃至８５度としたものであるから、係止ピン３の圧入が容易に可能である。より好ましくは３５乃至７５度であり、ゴム製やプラスチック製が好適である。
係止釦６が、軟らか過ぎると鉤頭部５が係止不良となり抜け易く、更に、釦止部８を被着板２に係止する作用も不良となり抜け易い。又、硬過ぎると、係止ピン３を挿入しにくく、更に、被着板２との反復着脱操作性が悪くなる。
【００２０】
一方、被着板２には係止釦６の釦止部８より小径の着脱穴１１が開設され、軟質マット１に固定したマット係止部材１０の係止釦６を着脱穴１１に反復して嵌合し比較的軽い力で繰返し着脱可能としている。即ち、マット係止部材１０の被着板２への着脱操作は、マット係止部材１０の軟質マット１との係止操作に比べ、簡単である。
【００２１】
軟質マット１は、柔軟なシート状物が好適に用いられ、スポンジシート、各種軟質マット、その他複合・複数組み合わせマット等で作られる。
マット係止部材１０に好適に用いられる軟質マット１の肉厚は４乃至４０ミリ以下である。
【００２２】
軟質マット１の肉厚が、４ミリ未満では薄過ぎ、着用感が悪い。４０ミリを超えると、厚過ぎ、邪魔になり、不経済である。
入浴機器に用いる軟質マット１の場合、部厚いと、浮力が大きくなり過ぎ、好ましくない。又、入浴機器に用いる軟質マット１は、軽く冷たくないものが要求されるので、吸水しないものが好ましい。吸水すると、重く冷たくなり好ましくない。
【００２３】
軟質マット１の表面での硬度は日本工業規格による硬度表示ＪＩＳ−Ｋ−６３１０（Ａ）で５度乃至５０度が好適である。
軟質マット１が、軟らか過ぎては軟質マット１の形状保持性が悪く伸縮も大きくなり、人体の保持性が悪く分厚いものが要り不経済である。硬過ぎるとクッション効果がなく、着用感が悪い。
軟質マット１の表面硬度は、該マット１を二枚重ねしてその上から標準Ａ形硬度計で押し当てて測定した値である。
【００２４】
軟質マット１は、平頭部４が軟質マット１に沈み込み、軟質マット１における平頭部４の取着部周辺は窪みを呈する。
【００２５】
係止ピン３の鉤頭部５が軟質マット１の取付孔１２を貫通する。マット係止部材１０における平頭部４及び係止釦６は、その鉤頭部５と、好ましくは茎部１３の径の２乃至１０倍の径とした釦台部１４とで、軟質マット１を外れないように係止する。又、鉤頭部５と釦台部１４は、軟質マット１を、フラット感が得られるように、好ましくは２０パーセント乃至８０パーセント圧縮して、しっかりと保持し、強固に係止する。
【００２６】
上記２０パーセント未満では平頭部４が軟質マット１から突出し、人体に押し当たり人体接触感即ち着用感が悪くなり、身体を軟質マット１上で滑らすと平頭部４に引っ掛って怪我をする心配があり、８０パーセントを超えると大きな窪みが出来て着用感が悪く、又、軟質マット１が傷み易い。
【００２７】
実施例を使用するに際しては、先ず、係止ピン３の鉤頭部５を取付孔１２に貫通し、軟質マット１の裏に臨んだ鉤頭部５に係止釦６の釦台部１４を当てがい鉤頭部５に係止釦６を圧入する。
【００２８】
係止釦６の止着によって軟質マット１を被着板２に止着する。即ち、係止釦６を、担架又は車椅子等である被着板２に開けた着脱穴１１に挿入し止着する。
詳述すると、係止釦６の釦止部８よりやや小径な着脱穴１１に貫通し、被着板２が釦胴部７の位置に接触した状態になって、当該係止釦６が被着板２に係止される。大径となった釦止部８が着脱穴１１を貫通しているので、人為的に抜かない限り、係止釦６は着脱穴１１から抜けない。
【００２９】
清掃時等に軟質マット１を被着部２から取り外す時は、マット係止部材１０の近くの軟質マット１を引っ張り、係止釦６の釦止部８を着脱穴１１から抜き、マット係止部材１０を被着部２から外し、軟質マット１を被着部２から離脱する。
【００３０】
図２に示す他の実施例では、茎部１３の途中部位に茎部１３から膨らみをもって突出する中間止部１７を形成し、係止ピン３を、軟質マット１の取付孔１２に貫通させ、軟質マット１の裏面に臨んだ中間止部１７に止ワッシャー１８を嵌め、軟質マット１にマット係止部１０を止着する。止ワッシャー１８は軟質マット１の取付孔１２周辺を保持し、又、止ワッシャー１８の肉厚を適宜変更すれば、軟質マット１の肉厚を補完し、軟質マット１が薄いものであってもこれにマット係止部材１０を好適に取着できる。
【００３１】
【発明の効果】
請求項１に記載した本発明は、マット係止部材１０を、軟質マット１に貫通される硬質の係止ピン３と、該係止ピン３に嵌合される軟質の係止釦６とで軟質マット１を挾持固定する構成としたものであるから、係止釦６と係止ピン３及びこれによって支持される軟質マット１が緩むことはなく、平頭部４が軟質マット１から浮き上がりグラグラすることはなく、平頭部４の上を患者が擦っても怪我をする心配は無く、安全であり、好都合である。又、係止ピン３の鉤頭部５を係止釦６に圧入・止着するので、その圧入作業が簡単であり、製造工数を減らし、従って、製造経費を節減でき、好都合である。
【００３２】
請求項２に記載した本発明は、平頭部４と係止釦６の釦台部１４との間に軟質マット１を圧縮して固定保持し、着脱穴１１に釦止部８を着脱可能に係合させて、被着板２に反復着脱可能に軟質マット１を保持するものであるから、マット係止部材１０が軟質マット１に適切に保持されて好適であり、又、軟質マット１に保持された係止釦６は、被着板２との着脱をスムーズにでき、好都合である。
【００３３】
請求項３に記載した本発明では、係止釦６は、係止ピン３より軟質で硬度を日本工業規格による硬度表示で２５度乃至８５度としたので、係止ピン３を係止釦６に圧入することを好適に行なえ、好都合である。
【００３４】
又、マット係止部材１０は、軟質マット１を２０パーセント乃至８０パーセント圧縮して保持するので、平頭部４が軟質マット１に埋もれ、平頭部４上を擦っても突起状態がなく安全であり、又、マット係止部材１０が軟質マット１にガタつくことなく好適に止められ、無用のマットのずれが生じることはなく、好都合である。
【００３５】
更に又、マット係止部材１０が保持する軟質マット１は、肉厚を４ミリ以上とし硬度を日本工業規格による硬度表示（ＪＩＳ−Ｋ−６３１０（Ａ））で５度乃至５０度としたので、平頭部４に窪みが形成されて安全であり、更に、快適な緩衝力が得られ、好都合である。
【図面の簡単な説明】
【図１】本発明の実施例の断面図である。
【図２】本発明の他の実施例の断面図である。
【符号の説明】
１    軟質マット
２    被着板
３    係止ピン
４    平頭部
５    鉤頭部
６    係止釦
７    釦胴部
８    釦止部
９    貫通芯穴
１０    マット係止部材
１１    着脱穴
１３    茎部
１４    釦台部
【図１】
0003547569.tif 000002
【図２】
0003547569.tif 000003